(57)【要約】【課題】ネックレスや腕時計，懐中時計等の主としてループ状又はリング状等の係止部を有する身飾品を展示する身飾品用陳列台を提供する。【解決手段】この考案の身飾品用陳列台は、少なくとも正面側に展示物２１を保持して展示する展示面７を有し下端部を差込部９とする展示スタンド２と、該展示スタンド２の差込部９と嵌合し合って展示スタンド２を着脱可能に立設状態で支持する凹凸からなる受部６をテーブル面に形成したテーブル１とから構成される。  差込部９を展示スタンド２の下端面より突出形成し、該差込部９を嵌合させる溝状の受部６をテーブル面上の異なる位置に連続的又は不連続的に形成し、該受部６の方向又は配列方向は、テーブル面に対し展示スタンド２の展示面７が異なる向きに立設固定できるように複数の向きに交差させて設けている。【選択図】図１
0003136969.tif 000002
【実用新案登録請求の範囲】
【請求項１】
少なくとも正面側に展示物（２１）を保持して展示する展示面（７）を有し下端部を差込部（９）とする展示スタンド（２）と、該展示スタンド（２）の差込部（９）と嵌合し合って展示スタンド（２）を着脱可能に立設状態で支持する凹凸からなる受部（６）をテーブル面に形成したテーブル（１）とからなる身飾品用陳列台。
【請求項２】
テーブル（１）上の複数の位置を選択して展示スタンド（２）を立設するように受部（６）をテーブル面上の異なる位置に連続的又は不連続的に形成した請求項１の身飾品用陳列台。
【請求項３】
テーブル面に対し複数の展示スタンド（２）を立設した請求項１又は２の身飾品用陳列台。
【請求項４】
受部（６）が差込部（９）を嵌合する溝である請求項１，２又は３の身飾品用陳列台。
【請求項５】
差込部（９）が展示スタンド（２）の下端面より突出する突起である請求項１，２，３又は４の身飾品用陳列台。
【請求項６】
テーブル面に対し展示スタンド（２）の展示面（７）が異なる向きに立設固定できるように受部（６）の方向又は配列方向を複数の向きに交差させて設けた請求項１，２，３，４又は５の身飾品用陳列台。
【請求項７】
差込部（９）が展示スタンド（２）の下端面より突出する連続的な突起であり、受部（６）が連続的な溝である請求項１，２，３，４，５又は６の身飾品用陳列台。
【請求項８】
展示スタンド（２）の展示面（７）がパネル状に形成されるとともに、その上端がエッジ状に形成され、該エッジ状の上端に展示物（２１）を係止して保持させる請求項１，２，３，４，５，６又は７の身飾品用陳列台。
【請求項９】
エッジ状の上端に正面視で凹凸状の多数の係止爪（８）を形成し、該係止爪（８）に展示物（２１）を吊り下げ状に係止する請求項８の身飾品用陳列台。
【請求項１０】
展示面（７）がテーブル面上に立設された状態で上向きに傾斜する傾斜面である請求項１，２，３，４，５，６，７，８又は９の身飾品用陳列台。
【請求項１１】
展示スタンド（２）の正面及び背面に展示面（７）を設けてなる請求項１，２，３，４，５，６，７，８，９又は１０の身飾品用陳列台。
【請求項１２】
展示スタンド（２）が側面視で略台形又は三角形である請求項１０又は１１の身飾品用陳列台。
【請求項１３】
前記展示スタンド（２）の差込部（９）と同様な差込部（９´）を下端部に有し、展示スタンド（２）の展示面（７）と同方向を向く鏡面を備え、テーブル面上に着脱可能に立設する鏡（３）を備えた請求項１，２，３，４，５，６，７，８，９，１０又は１１の身飾品用陳列台。
【考案の詳細な説明】
【技術分野】
【０００１】
本考案は、ネックレスや腕時計，懐中時計等の主としてループ状又はリング状等の係止部を有する身飾品を展示する身飾品用陳列台に関する。
【背景技術】
【０００２】
従来の身飾品用陳列台としては、例えば特許文献１に示すようなテーブル状の陳列台上に、特許文献２で示すように身飾品を係止して保持する陳列ケースを置いて身飾品を陳列するのが一般的である。
【特許文献１】特開平９−４００号公報
【特許文献２】特開２００４−１６６７６３号公報
【考案の開示】
【考案が解決しようとする課題】
【０００３】
しかし上記のような陳列台では、陳列用のテーブル上に陳列ケースを載置して陳列するため、人や物の接触や振動等によって陳列ケースが移動し、向きや姿勢が変更されて、展示のレイアウトが損なわれたり、他の商品の展示を乱す等の欠点がある。
また陳列ケースをテーブル面上に固定すると上記の欠点は解消されるものの、展示品の種類やイベント目的等によって展示レイアウトを変更することが難しいという欠点があり、陳列台全体を場所移動する場合や解体して搬送し、再現する場合も不便である。
この考案は上記課題を解決し、搬送や保管が便利で展示物の量や種類に応じて展示スタンドの位置や数を任意に変更できる身飾品用陳列台を提供するものである。
【課題を解決するための手段】
【０００４】
上記課題を解決するため本考案の防錆及び吸湿材用包装材は、第１に、少なくとも正面側に展示物２１を保持して展示する展示面７を有し下端部を差込部９とする展示スタンド２と、該展示スタンド２の差込部９と嵌合し合って展示スタンド２を着脱可能に立設状態で支持する凹凸からなる受部６をテーブル面に形成したテーブル１とからなることを特徴としている。
【０００５】
第２に、テーブル１上の複数の位置を選択して展示スタンド２を立設するように受部６をテーブル面上の異なる位置に連続的又は不連続的に形成したことを特徴としている。
【０００６】
第３に、テーブル面に対し複数の展示スタンド２を立設したことを特徴としている。
【０００７】
第４に、受部６が差込部９を嵌合する溝であることを特徴としている。
【０００８】
第５に、差込部９が展示スタンド２の下端面より突出する突起であることを特徴としている。
【０００９】
第６に、テーブル面に対し展示スタンド２の展示面７が異なる向きに立設固定できるように受部６の方向又は配列方向を複数の向きに交差させて設けたことを特徴としている。
【００１０】
第７に、差込部９が展示スタンド２の下端面より突出する連続的な突起であり、受部６が連続的な溝であることを特徴としている。
【００１１】
第８に、展示スタンド２の展示面７がパネル状に形成されるとともに、その上端がエッジ状に形成され、該エッジ状の上端に展示物２１を係止して保持させることを特徴としている。
【００１２】
第９に、エッジ状の上端に正面視で凹凸状の多数の係止爪８を形成し、該係止爪８に展示物２１を吊り下げ状に係止することを特徴としている。
【００１３】
第１０に、展示面７がテーブル面上に立設された状態で上向きに傾斜する傾斜面であることを特徴としている。
【００１４】
第１１に、展示スタンド２の正面及び背面に展示面７を設けてなることを特徴としている。
【００１５】
第１２に、展示スタンド２が側面視で略台形又は三角形であることを特徴としている。
【００１６】
第１３に、前記展示スタンド２の差込部９と同様な差込部９´を下端部に有し、展示スタンド２の展示面７と同方向を向く鏡面１１を備え、テーブル面上に着脱可能に立設する鏡３を備えたことを特徴としている。
【考案の効果】
【００１７】
以上のように構成される本考案の身飾品用陳列台によれば、展示スタンドとテーブルが分離されているので陳列台の搬送や保管が便利である。また展示スタンドの現場でのセットや解体が容易で、展示物に応じて各種の展示スタンドを変更できるほか、単に置くだけのものに比して展示スタンドが安定的に固定できる。
【００１８】
展示スタンドの位置を適宜変更し、展示スタンドの個数も変更することができるので、展示物の種類や量に応じてスタンド位置を任意に変更することができる。
【００１９】
テーブルに形成された受部が溝状であるので、溝方向に無段階に移動して展示スタンドを設置することができるほか、展示スタンドの差込部は下端に突出形成された突起であるので、構造が簡単であるため加工が容易である。
【００２０】
受部が複数の方向に交差するように形成され、テーブル面に対して展示スタンドを異なる向きに立設固定できるので、来店者又は来場者に対し、最も見え易い角度で展示できるほか、展示スタンドの展示面とテーブル上の展示スペースを有効に利用することによって、小さなスペースに多くの展示物を展示することができる。
【００２１】
展示スタンドの差込部とテーブルの受部が連続的に形成される場合、展示スタンドの立設固定が簡単で加工も容易であるほか、テーブル面上で溝方向に沿った無段階の展示スタンドの移動が可能である。またテーブルの受部が凹状の溝であるので、テーブル面上に突起物が無いという利点がある。
【００２２】
展示スタンドの展示面の上端にエッジ状の係止爪を形成し、該係止爪に展示物を吊り下げ状に係止することにより、展示物の着脱が容易であるほか、展示面全体を有効に活用することができる。
【００２３】
展示スタンドをテーブル面上に立設固定した状態で、展示面を上向きに傾斜する傾斜面としたことにより、来店者又は来場者の高位置から目線に対し展示物が見易いほか、展示物が揺れ動かないという利点がある。
【００２４】
展示スタンドの裏面側も展示面として有効利用することにより、多くの展示物を展示することができる。また展示スタンドを側面視で台形又は三角形とすることにより、スタンドと展示物を安定的に展示することができるほか、展示スタンド自体にデザイン性を持たせることができる。
【考案を実施するための最良の形態】
【００２５】
以下、本考案の実施の形態を図面に基づき説明する。図１は本考案の身飾品用陳列台の全体斜視図、図２は本考案の展示スタンドの拡大斜視図である。本考案の身飾品用陳列台はテーブル１と、該テーブル１に着脱自在に設けられる展示スタンド２と鏡３から構成されている。
【００２６】
テーブル１は側面視で略逆台形状のボックス状に形成され、平面視で長方形状に形成されている。テーブル１の長辺側の側面には展示物２１等を保管する引出し等からなる収納部４がスライド可能に設けられている。
【００２７】
テーブル１の上面には、上記展示スタンド２を挿脱可能に固定するための溝状の受部６が形成されている。該受部６は一方の短辺の略中央に形成された長辺方向の受部６ａと、該受部６ａと交差するように所定間隔毎に短辺方向に形成された複数の受部６ｂから構成されている。
【００２８】
受部６ａ，６ｂは連続的に形成され、該受部６の深さは後述の展示スタンド２の差込部９高さよりも浅めに設定し、展示スタンド２をテーブル１に立設固定すると、展示面７の下端はテーブル１の上面より所定高さ離れた構成となっている。
【００２９】
展示スタンド２は正面側と背面側にネックレス等の身飾品を展示するパネル状の展示面７が形成されている。該展示面７の上端はエッジ状に加工され、エッジ状の上端には正面視で凹凸状の多数の係止爪８が設けられている。該係止爪８はネックレス等の展示物を吊り下げ状に係止するものである。
【００３０】
展示スタンド２は側面視で略三角形に形成されているので、上記展示面７はテーブル１面上に立設固定した状態で来店者や来場者の目線から見易いように上向きに傾斜した傾斜面となっている。また展示スタンド２の下端には連続的な突起状の差込部９が突出形成されている。
【００３１】
該差込部９をテーブル１の溝状の受部６に差込むことによって、展示スタンド２の差込部９とテーブル１の受部６が嵌合し合って展示スタンド２をテーブル１に着脱可能に立設固定する構成となっている。また展示スタンド２を立設状態で着脱可能に固定するために、差込部９と受部６の幅は所定の摩擦抵抗を伴って挿脱することが可能な寸法に設定している。
【００３２】
鏡３は側面視で略三角形に形成され、正面側と背面側の鏡面１１は展示スタンド２と同様に上向きに傾斜した傾斜面となっている。また下端には展示スタンド２と同様に連続的な突起状の差込部９´が突出形成されており、展示スタンド２と同様に且つ同様な向きでテーブル面上の受部６ａ，６ｂに対して挿脱可能に固定することができる。
【００３３】
また鏡３にも展示スタンド２同様に差込部９´が設けられているので、来店者又は来場者が鏡の前に移動する必要がなく、鏡３を簡単に移動し安定的に設置することができるという利点がある。
【００３４】
以上の構成による身飾品用陳列台の使用方法としては、テーブル１は展示フロアの任意の位置での展示スタンド２背面を有効に利用することができる位置に配置後、展示物の種類や量に応じて受部６ａ，６ｂに差込部９を差し込むことによって、展示スタンド２及び鏡３の立設固定する。
【００３５】
そして展示スタンド２の係止爪８にネックレス等の展示物２１を吊り下げ状に係止するとともに、使用していない溝状の受部６を展示物の種類を区別する境界線として利用しながら、必要に応じてテーブル１上面にも展示物を配置する。催事等の展示目的終了後は、展示スタンド２を取外してテーブル１と別々にまとめて運搬し簡単に撤収することができる。
【００３６】
以上説明の身飾品用陳列台は、上記態様に限らず自由に変更可能である。例えばテーブル１上面に設けられた受部は長辺・短辺と平行な直線だけでなく、斜め方向でも可能であるほか、受部６ａと受部６ｂが連続的である必要はなく、例えば差込部９を複数の円形又は角型の突起とし、テーブル面側の受部６はこれらに対応したピッチ及び形状の孔でもよいほか、突起が１個の円柱状のものであれば、展示スタンド２や鏡３を水平方向に回動させて向きを変更可能に支持できる。
【００３７】
テーブル１も平面視で長方形のほかに、他の多角形・円形・楕円形にすることもできる。さらに展示スタンド２の展示面７は上端に係止爪１１を形成し、上向きの傾斜面であれば、方形に限らず他の形状にすることもできる。また展示スタンドと鏡本体は木製，プラスチック製のいずれでもよく、特に限定されない。
【図面の簡単な説明】
【００３８】
【図１】本考案の身飾品用陳列台を示す全体斜視図である。
【図２】本考案の身飾品用陳列台の展示スタンドを示す拡大斜視図である。
【図３】本考案の身飾品用陳列台の鏡を示す拡大斜視図である。
【符号の説明】
【００３９】
１      テーブル
２      展示スタンド
６      受部
７      展示面
８      係止爪
９      差込部
９´    差込部
２１    展示物
【図１】
0003136969.tif 000003
【図２】
0003136969.tif 000004
【図３】
0003136969.tif 000005